【事件の表示】
　特許第３２５２４７１号「光配向制御素子、面照明装置及び液晶表示器」の請求項１ないし１１に係る特許に対する特許異議の申立てについて、次のとおり決定する。
【結　論】
　訂正を認める。
　特許第３２５２４７１号の請求項１ないし８に係る特許を維持する。
【理　由】
【1】手続の経緯
　特許第3252471号の請求項1〜11に係る発明は、平成4年8月28日に出願され、平成13年11月22日にその設定登録がなされ、その後、佐藤美智子より特許異議申立がなされ、取消理由通知に対して、応答期間内である平成14年12月16日に訂正請求がなされたものである。
　
【2】訂正の適否についての判断
【2-1】訂正の要旨
　特許権者が求めている訂正の内容は、以下のとおりである。
訂正事項a:
　旧請求項1を削除する。
訂正事項b:
　旧請求項2を新請求項1に繰り上げるとともに、「入射光を集光して出射させる」を「液晶表示体を照明するための入射光を集光して出射させる」と訂正し、「前記第1の曲率と前記第2の曲率とは異なる」を「前記第1の曲率は、前記第2の曲率より小さく、前記液晶表示体の前記所定の方向における視野角は、前記所定の方向に直交する前記方向における視野角よりも大きい」と訂正する。
訂正事項c:
　旧請求項3を新請求項2に繰り上げるとともに、「請求項2に記載の」を「請求項1に記載の」と訂正する。
訂正事項d:
　旧請求項4を削除する。
訂正事項e:
　旧請求項5を削除する。
訂正事項f:
　旧請求項6を新請求項3に繰り上げるとともに、「光源と導光板とを有する面照明装置」を「光源と導光板とを有し、液晶表示体を照明するための面照明装置」と訂正し、「前記導光板の光出射面側には」を「前記導光板の光出射面側と前記液晶表示体との間には」と訂正し、「楕円体のレンズ状の曲面が設けられており、」を「楕円体のレンズ状の曲面が複数設けられており、各前記楕円体のレンズ状の曲面は同一方向に向けて並べられてなり、」と訂正し、「前記第1の曲率と前記第2の曲率とは異なる」を「前記第1の曲率は、前記第2の曲率より小さく、前記液晶表示体の前記所定の方向における視野角は、前記所定の方向に直交する前記方向における視野角よりも大きい」と訂正する。
訂正事項g:
　旧請求項7を新請求項4に繰り上げるとともに、「請求項6に記載の」を「請求項3に記載の」と訂正する。
訂正事項h:
　旧請求項8を新請求項5に繰り上げるとともに、「請求項7に記載の」を「請求項4に記載の」と訂正する。
訂正事項i:
　旧請求項9を新請求項6に繰り上げるとともに、「レンズ状の曲面が設けられており、前記レンズ状の曲面が楕円体であり、」を「レンズ状の曲面が複数設けられており、前記レンズ状の曲面は楕円体であり、且つ同一方向に向けて並べられてなり、」と訂正し、「前記第1の曲率と前記第2の曲率とは異なる」を「前記第1の曲率は、前記第2の曲率より小さく、前記液晶表示体の前記所定の方向における視野角は、前記所定の方向に直交する前記方向における視野角よりも大きい」と訂正する。
訂正事項j:
　旧請求項10を新請求項7に繰り上げるとともに、「請求項9に記載の」を「請求項6に記載の」と訂正する。
訂正事項k:
　旧請求項11を新請求項8に繰り上げるとともに、「請求項10に記載の」を「請求項7に記載の」と訂正する。
訂正事項l:
　明細書の段落【0007】中の、「かかる課題を解決するために、本発明の光配向制御素子は、入射光を集光して出射させる光配向制御素子において、前記光配向制御素子にはレンズ状の曲面が設けられており、前記レンズ状の曲面が楕円体であり、前記楕円体は、所定の方向において第1の曲率の断面形状、および前記所定の方向に直交する方向において第2の曲率の断面形状を有し、前記第1の曲率と前記第2の曲率とは異なることを特徴とする。また、本発明の光配向制御素子は、入射光を集光して出射させる」を「かかる課題を解決するために、本発明の光配向制御素子は、液晶表示体を照明するための入射光を集光して出射させる」と訂正し、「前記第1の曲率と前記第2の曲率とは異なることを特徴とする。また、前記複数の」を「前記第1の曲率は、前記第2の曲率より小さく、前記液晶表示体の前記所定の方向における視野角は、前記所定の方向に直交する前記方向における視野角よりも大きいことを特徴とする。また、前記複数の」と訂正し、「また、前記光配向制御素子は、前記所定の方向、及びその方向に直交する前記方向の両方において光を集光することを特徴とする。また、前記所定の方向とその所定の方向に直交する方向とでは出光パターンが異なることを特徴とする。」を削除する。
訂正事項m:
　明細書の段落【0008】中の、「光源と導光板とを有する面照明装置」を「光源と導光被とを有し、液晶表示体を照明するための面照明装置」と訂正し、「前記導光板の光出射面側には」を「前記導光板の光出射面側と前記液晶表示体との間には」と訂正し、「楕円体のレンズ状の曲面が設けられており、」を「楕円体のレンズ状の曲面が複数設けられており、各前記楕円体のレンズ状の曲面は同一方向に向けて並べられてなり、」と訂正し、「前記光配向制御素子にはレンズ状の曲面が設けられており、前記レンズ状の曲面が楕円体であり、」を「前記光配向制御素子にはレンズ状の曲面が複数設けられており、前記レンズ状の曲面は楕円体であり、且つ同一方向に向けて並べられてなり、」と訂正し、2箇所の「前記第1の曲率と前記第2の曲率とは異なる」を「前記第1の曲率は、前記第2の曲率より小さく、前記液晶表示体の前記所定の方向における視野角は、前記所定の方向に直交する前記方向における視野角よりも大きい」と訂正する。
訂正事項n:
　明細書の段落【0010】中の、「曲率が大きいため」を「曲率が小さいため」と訂正し、「小さな曲率の形状」を「大きな曲率の形状」と訂正する。
訂正事項o:明細書の段落【0014】中の、「レンズ状の曲面が設けられており、前記レンズ状の曲面が楕円体であるので、」を「レンズ状の曲面が複数設けられており、前記レンズ状の曲面が楕円体であり且つ同一方向に向けて並べられてなり、前記楕円体は、所定の方向において第1の曲率の断面形状、および前記所定の方向に直交する方向において第2の曲率の断面形状を有し、前記第1の曲率は、前記第2の曲率より小さく、液晶表示体の前記所定の方向における視野角は、前記所定の方向に直交する前記方向における視野角よりも大きいことによって、」と訂正する。
　
【2-2】訂正の目的の適否、新規事項の有無及び拡張・変更の存否
　(1)上記訂正事項a〜kは、特許請求の範囲の減縮及び請求項の項番を整えることを目的とする訂正であり、段落【0006】、【0010】〜【0013】、図3、図4、図5、図6、及び図7に記載された技術事項に基づくものであり、実質的に特許請求の範囲を拡張し、又は変更するものではない。
　(2)訂正事項l〜m、oは、明りょうでない記載の釈明を目的とするものであり、段落【0006】、【0010】〜【0013】、図3、図4、図5、図6、及び図7に記載された技術事項に基づくものであり、実質的に特許請求の範囲を拡張し、又は変更するものではない。
　(3)訂正事項nは、明らかな誤記の訂正を目的とするものであり、実質的に特許請求の範囲を拡張し、又は変更するものではない。
　
【2-3】むすび
　以上のとおりであるから、上記訂正は、平成6年法律第116号附則第6条第1項の規定により訂正についてなお従前の例によるとされる、改正前の特許法第126条第1項及び同第2項の規定に適合するので当該訂正を認める。
　
【3】特許異議の申立てについての判断
【3-1】本件発明1〜8
　本件の請求項1〜請求項8に係る発明は、全文訂正明細書に記載された以下のとおりのものである。
「【請求項1】液晶表示体を照明するための入射光を集光して出射させる光配向制御素子において、前記光配向制御素子の光出射面側にはレンズ状の曲面が設けられており、前記レンズ状の曲面が楕円体であり、且つ同一方向に向けて並べられてなり、前記楕円体は、所定の方向において第1の曲率の断面形状、および前記所定の方向に直交する方向において第2の曲率の断面形状を有し、前記第1の曲率は、前記第2の曲率より小さく、前記液晶表示体の前記所定の方向における視野角は、前記所定の方向に直交する前記方向における視野角よりも大きいことを特徴とする光配向制御素子。
【請求項2】請求項1に記載の光配向制御素子において、前記複数のレンズ状の曲面はジグザグに並べられてなることを特徴とする光配向制御素子。
【請求項3】光源と導光板とを有し、液晶表示体を照明するための面照明装置において、前記導光板の光出射面側と前記液晶表示体との間には光配向制御素子が設けられており、前記光配向制御素子には楕円体のレンズ状の曲面が設けられており、各前記楕円体のレンズ状の曲面は同一方向に向けて並べられてなり、前記楕円体は、所定の方向において第1の曲率の断面形状、および前記所定の方向に直交する方向において第2の曲率の断面形状を有し、前記第1の曲率は、前記第2の曲率より小さく、前記液晶表示体の前記所定の方向における視野角は、前記所定の方向に直交する前記方向における視野角よりも大きいことを特徴とする面照明装置。
【請求項4】請求項3に記載の面照明装置において、前記光配向制御素子は、前記所定の方向、及びその所定の方向に直交する前記方向において光を集光することを特徴とする面照明装置。
【請求項5】請求項4に記載の面照明装置において、前記所定の方向とその方向に直交する前記方向とでは出光パターンが異なることを特徴とする面照明装置。
【請求項6】面照明装置と、その面状照明装置の光出射面側に配置した液晶表示体と、を具備する液晶表示器において、前記面照明装置は、光源、導光板及び前記導光板と前記液晶表示体との間に配置した光配向制御素子を有し、前記光配向制御素子にはレンズ状の曲面が複数設けられており、前記レンズ状の曲面は楕円体であり、且つ同一方向に向けて並べられてなり、前記レンズ状の曲面が楕円体であり、前記楕円体は、所定の方向において第1の曲率の断面形状、および前記所定の方向に直交する方向において第2の曲率の断面形状を有し、前記第1の曲率は、前記第2の曲率より小さく、前記液晶表示体の前記所定の方向における視野角は、前記所定の方向に直交する前記方向における視野角よりも大きいことを特徴とする液晶表示器。
【請求項7】請求項6に記載の液晶表示器において、前記面照明装置からの光は、前記所定の方向、及びその方向に直交する前記方向の両方において集光されて前記液晶表示体に出光されることを特徴とする液晶表示器。
【請求項8】請求項7に記載の液晶表示器において、前記所定の方向とその方向に直交する前記方向とでは出光パターンが異なることを特徴とする液晶表示器。」
　以下、請求項順に「本件発明1」〜「本件発明8」という。
　
【3-2】申立ての理由の概要
　特許異議申立人は、刊行物1、2を示して、本件発明1〜6は、刊行物1に記載され特許法第29条1項第3号に該当する発明であり、また、刊行物1に記載された発明に基づいて当業者が容易に発明できたものである。また、本件発明7〜11は、刊行物1に記載され特許法第29条1項第3号に該当する発明であり、また、刊行物1又は刊行物1及び刊行物2に記載された発明に基づいて当業者が容易に発明できたものである旨主張している。
刊行物1:特開昭63-68814号公報 (甲第1号証)
刊行物2:特開平4-146401号公報 (甲第2号証)
　
【3-3】刊行物に記載された発明等
刊行物1:特開昭63-68814号公報 
1頁左下欄5〜12行、特許請求の範囲
　「(1)ドットマトリクスクイプの透光型表示装置の背方から光を照射する照明装置であって、液晶表示装置の背方に配設された光源と、液晶表示装置と光源との間に介装された透光材料よりなる配光制御板とを有し、配光制御板は液晶表示装置側の表面に全面に亘って微少突起が突設された形状に形成されて成ることを特徴とする液晶表示装置用照明著置。」
1頁右下欄6行〜2頁右上欄12行
　「[背景技術]一般にドットマトリクスクイプの透光型液晶表示装置の背方より光を照射することにより、液晶表示装置のコントラストを向上させる照明装置が知られている。この種の照明装置の光源としては発光効率などの点から蛍光ランプのように点光源ないし線光源に近似される光源が用いられるが、液晶表示装置の各部分の光源からの距離の差等に起因して液晶表示装置の表面の輝度にむらが生じるという問題がある。このような課題を解消するために、従来より、第9図に示すように、光源1と液晶表示装置3との間に乳色ガラス等の拡散板5を介装して光源1からの光をほぼ均等拡散透過させる構成や、第10図に示すように、光源1から放射された光線を導光板6の側面より入射して前方に放射させた後に拡散板5によって拡散透過させる構成が用いられている。ところで、液晶表示装置3に用いられている液晶は一般に比較的屈折率が大きく、液晶表示装置3の板面に対する入射角が大きいと光線を全反射して透過させないものであるから、光源1から放射された光はの利用効率を考慮すると、板面にほぼ直交する光線を背後から照射するのが望ましい。しかしながら、上述したような拡散板5を透過した光線は液晶表示装置3に対してあらゆる角度で入射するものであるから、従来のように拡放板5を用いて輝度むらを減少させる方法では光源1から放射された光線の利用効卒が低いという問題があった。
　[発明の目的]本発明は上述の点に鑑みて為されたものであって、その目的とするところは、光源から放射された光線の利用効率が高く、比較的小さな光源で液晶表示装置に高い輝度が得られるようにした液晶表示装置用照明装置を提供することにある。
　[発明の開示]本発明に係る液晶表示装置用照明装置は、ドットマトリクスタイプの透光型液晶表示装置の背方から光を照射する照明装置であって、液晶表示装置の背方に配設された光源と、液晶表示装置と光源との間に介装された透光材料よりなる配向制御板とを有し、配光制御板は液晶表示装置側の表面に全面に亘って微少突起が突設された形状に形成されて成るものであり、配向制御板に形成された微少突起により光源からの光線のビームの開きを小さくし、液晶表示装置の板面にほぼ直交する光束を得るようにしたものである。
2頁右上欄13行〜3頁右上欄8行
　(実施例1)第1図に示すように、液品表示装置3の背方に光源1が配設され、液晶表示装置3と光源1との間に配光制御板2が介装される。光源1としては小形の蛍光ランプが複数本用いられ、また液晶表示装置3としてはドットマトリクスクイプで透過型のものが用いられる。光源1である蛍光ランプは液晶表示装置3の背方に液晶表示装置3の板面に沿う形で列設される。配光制御板2はガラス等の透光材料により形成されており、液晶表示装置3側の表面には全面に亘って多数の微少突起4が形成されている。微少突起4は、第2図に示すように、中心を正方形の格子点上に配列して碁盤目状に配置されたり、あるいは第3図に示すように、中心を菱形の格子点上に配列して蜂の巣状に配置されたりする。これらの配置形状は液晶表示装置3の各画素の配置形状に対応させればよい。また、微少突起4の表面は光沢を有するように仕上げられる。各微少突起4は球面レンズを形成するのであり凸レンズとして作用するから、光源1からの光線のビ‐ムの開きを小さくする作用がある。ところで、各微少突起4が凸レンズとして作用することにより、微少突起4の中心部(光軸)付近の光線密度が周辺部よりも大きくなるのであって、微視的にみれば輝度にむらが生じることになる。したがって、微少突起4の形成ピッチが小さいほど輝度のむらが目立たなくなるのであるが、形成ピッチが小さいほど製造が困難になるから、液晶表示装置3の画素の3倍を限度として形成ピッチが設定される。形成ピッチを画素の3 倍以下に設定しているのは次の理由による。すなわち、カラー表示の液晶表示装置について考えれば、赤、緑、青の3素子により1つの色が決定されるのであり、3素子を一組として1点が形成されると考えればよいから、3素子を一組とした形成ピッチ以下であれば、画面上の輝度むらは問題にならないと考えられるからである。また、いわゆるポケットテレビのように小形で近距離から見る液晶表示装置やモノクロの液晶表示装置については、画素の大きさが目の分解能とは関係無く表示画面の大きさと画素数との関係により設定されており、一般には目の分解能よりも画素の形成ピッチが小さいと考えられるから、このように至近距離で見る液晶表示装置3については、画素の3倍という数値とは無関係に微少突起4の形成ピッチをlmm以下に設定すればよい。さらに、いわゆる高品位テレビのように画素が目の分解熊よりも十分に小さい場合については、微少突起4の形成ピッチを通常のテレビの画素の3倍以下に設定すればよい。また、各微少突起4の形成ピッチを液は表示装置3の各画素の形成ピッチに一致させるとともに、微少突起4の光軸と液晶表示装置3の各画素の中心とを一致させるようにしてもよい。以上のようにして形成された配光制御板2は、光源1の像をぼかす効果があり、巨視的に見れば光線密度を配光制御板2の全体に亘って均等化する効果がある。したがって、拡散板を用いなくとも液晶表示装置3の輝度むらが抑制されるのである。また、各微少突起4が凸レンズとして作用することにより、透過光線のビームの開きを小さくして光束を光軸側に集めるように屈折させる効果があるから、液晶表示装置3に導入される光束には液晶表示装置3の板面に対して直交する方向の成分が多くなり、その結果、光源1から放射された光を効率よく利用して液品��示装置3の輝度を高めることができるのである。ここにおいて各微少突起4は、球面以外にも放物面や円錐台形状等の非球面でもよく、たとえば、第4図に示すように、円錐状として先端部のみが球面となる形状に形成すれは、球面のみで形成される場合に比較してビームの開きを一層小さくすることができるものである。さらに、第5図に示すように、光軸に直交する面への射影が楕円状であって、この楕円の長軸の回りに回転させに回転楕円体とした微少突起4や、第6図に示すように、六角錐状の微少突起4などでもよい。」
　
刊行物2:特開平4-146401号公報 
2頁左上欄末行〜左下欄3行
　「〔課題を解決するための手段〕本発明の照明装置は、前記の目的を違成するために、前述の従来の照明装置の拡散板の前面に拡散板上の各点より拡散する光を拡散板に垂直な方向を中心として一定の角度範囲内に向かうようにその拡がりを規制するための規制板を配置したものである。例えば液晶を用いた表示装置においては、表示板上の画像その他を観察する場合にそのほとんどが表示板に垂直な方向より画像等をみている。本発明は、拡散板よりその垂直線に対し大きな角度にて拡散する光は、表示板の観察には全くか殆んと寄与していないことに着目してなされたものである。つまり拡散板上の各点より拡散する光を夫々全体として拡散板に垂直な方向に導くようにしたその広がりを規制するための規制板を拡散板の前面に並設するものである。そしてこれらによって、従来利用されない大きな角度で拡散する光をも利用するようにして拡散板よりの光の輝度を大にしたものである。しかも拡散板上より拡散する光のすべてがその垂直方向に対する角度が小さくなるようにその広がりを規制板により導かれるために輝度分布の均一性は保ったまま全体として輝度を高めることが出来る。」
3頁右下欄4行〜下から3行
　「第5図は、本発明の他の実施例で、導光板を用いた照明装置に用いた光拡散装置を示す断面図で、11は光源、12は導光体、13は拡散板、14は反射面である。15は規制部材で、第2図と類似の形状である。この実施例においては、規制板が第1図乃至第3図に示す実施例の規制板と同様の形状であるので、導光体12より外部へ出る光は、まず拡散板13で拡散光となり次いで規制板15の鋸歯状部分15aでその多くが上方へ向けられ、拡散面に対し垂直方向の明るさが増大する。この実施例の装置を用いて実験した結果、拡散面に垂直な方向で30%の明るさの増加がみられた。この第5図の導光体を用いた実施例の場合も、規制板として第4図のものを用いてもよい。」
　
【3-4】対比
【3-4-1】本件発明1
　本件発明1と刊行物1に記載された発明 (引用発明)とを比較すると、引用発明における、「液晶表示装置」、「配光制御板」、及び「第5図に示すように、光軸に直交する面への射影が楕円状であって、この楕円の長軸の回りに回転させに回転楕円体」は、本件発明1における、「液晶表示体」、「光配向制御素子」、及び「所定の方向において第1の曲率の断面形状、および前記所定の方向に直交する方向において第2の曲率の断面形状を有するレンズ状の曲面」に相当する。
　よって、両者は、「液晶表示体を照明するための入射光を集光して出射させる光配向制御素子において、前記光配向制御素子の光出射面側にはレンズ状の曲面が設けられており、前記レンズ状の曲面が楕円体であり、前記楕円体は、所定の方向において第1の曲率の断面形状、および前記所定の方向に直交する方向において第2の曲率の断面形状を有し、前記第1の曲率は、前記第2の曲率より小さい光配向制御素子。」である点で一致しており、以下の点で相違する。
　相違点a.楕円体が、本件発明1では、同一方向に向けて並べられてなるのに対して、引用発明では、その方向が規定されていない点。
　相違点b.本件発明1では、液晶表示体の所定の方向における視野角は、前記所定の方向に直交する前記方向における視野角よりも大きいのに対し、引用発明では、液晶表示体の視野角について規定されていない点。
　
相違点aについて
　引用発明では、3頁左上欄6行〜11行に「配光制御板2は、光源1の像をぼかす効果があり、巨視的に見れば光線密度を配光制御板2の全体に亘って均等化する効果がある。したがって、拡散板を用いなくとも液晶表示装置3の輝度むらが抑制されるのである。」と記載しているように、均一な拡散効果を期待するものであるから、引用発明の目的を全うしようとすると、楕円体の方向を揃えて均一な拡散作用と逆行する構成は取り得ない。従って、引用発明は、楕円体を同一方向に向けて並べることを示唆しているとは認められない。この点は刊行物2にも示唆されていない。そして、この点で本件発明1は明細書記載の効果を奏するものと認められる。
　よって、相違点bを検討するまでもなく、本件発明1は、刊行物1、2に記載された発明から当業者が容易に発明できたものとではない。
　
【3-4-2】本件発明2〜本件発明8
　本件発明2〜本件発明8は、前記相違点aに係る本件発明1の技術事項を、それらの発明の技術事項として含むものである。
　よって、前述の理由により、本件発明2〜本件発明8は刊行物1、2に記載された発明から当業者が容易に発明できたものではない。
　
【3-5】むすび
　以上のとおりであるから、特許異議申立の理由及び証拠方法によっては、本件の請求項1〜8に係る発明の特許を取り消すことはできない。
　また、他に本件の請求項1〜8に係る発明の特許を取り消すべき理由を発見しない。
　よって、結論のとおり決定する。
【異議決定日】
平成１５年３月２５日（２００３．３．２５）
【訂正の要旨】
　以下の訂正事項の訂正内容を除く請求項の指摘において、訂正前の請求項を「旧請求項」、訂正後の請求項を「新請求項」と記載することとする。
　以下に、訂正事項を記載する。
　ａ．旧請求項１を削除する。
　ｂ．旧請求項２を新請求項１に繰り上げるとともに、
　「入射光を集光して出射させる」を「液晶表示体を照明するための入射光を集光して出射させる」と訂正し、
　「前記第１の曲率と前記第２の曲率とは異なる」を「前記第１の曲率は、前記第２の曲率より小さく、前記液晶表示体の前記所定の方向における視野角は、前記所定の方向に直交する前記方向における視野角よりも大きい」と訂正する。
　ｃ．旧請求項３を新請求項２に繰り上げるとともに、
　「請求項２に記載の」を「請求項１に記載の」と訂正する。
　ｄ．旧請求項４を削除する。
　ｅ．旧請求項５を削除する。
　ｆ．旧請求項６を新請求項３に繰り上げるとともに、
　「光源と導光板とを有する面照明装置」を「光源と導光板とを有し、液晶表示体を照明するための面照明装置」と訂正し、
　「前記導光板の光出射面倒には」を「前記導光板の光出射面側と前記液晶表示体との間には」と訂正し、
　「楕円体のレンズ状の曲面が設けられており、」を「楕円体のレンズ状の曲面が複数設けられており、各前記楕円体のレンズ状の曲面は同一方向に向けて並べられてなり、」と訂正し、
　「前記第１の曲率と前記第２の曲率とは異なる」を「前記第１の曲率は、前記第２の曲率より小さく、前記液晶表示体の前記所定の方向における視野角は、前記所定の方向に直交する前記方向における視野角よりも大きい」と訂正する。
　ｇ．旧請求項７を新請求項４に繰り上げるとともに、
　「請求項６に記載の」を「請求項３に記載の」と訂正する。
　ｈ．旧請求項８を新請求項５に繰り上げるとともに、
　「請求項７に記載の」を「請求項４に記載の」と訂正する。
　ｉ．旧請求項９を新請求項６に繰り上げるとともに、
　「レンズ状の曲面が設けられており、前記レンズ状の曲面が楕円体であり、」を「レンズ状の曲面が複数設けられており、前記レンズ状の曲面は楕円体であり、且つ同一方向に向けて並べられてなり、」と訂正し、
　「前記第１の曲率と前記第２の曲率とは異なる」を「前記第１の曲率は、前記第２の曲率より小さく、前記液晶表示体の前記所定の方向における視野角は、前記所定の方向に直交する前記方向における視野角よりも大きい」と訂正する。
　ｊ．旧請求項１０を新請求項７に繰り上げるとともに、
　「請求項９に記載の」を「請求項６に記載の」と訂正する。
　ｋ．旧請求項１１を新請求項８に繰り上げるとともに、
　「請求項１０に記載の」を「請求項７に記載の」と訂正する。
　ｌ．明細書の段落【０００７】中の、
　「かかる課題を解決するために、本発明の光配向制御素子は、入射光を集光して出射させる光配向制御素子において、前記光配向制御素子にはレンズ状の曲面が設けられており、前記レンズ状の曲面が楕円体であり、前記楕円体は、所定の方向において第１の曲率の断面形状、および前記所定の方向に直交する方向において第２の曲率の断面形状を有し、前記第１の曲率と前記第２の曲率とは異なることを特徴とする。また、本発明の光配向制御素子は、入射光を集光して出射させる」を「かかる課題を解決するために、本発明の光配向制御素子は、液晶表示体を照明するための入射光を集光して出射させる」と訂正し、
　「前記第１の曲率と前記第２の曲率とは異なることを特徴とする。また、前記複数の」を「前記第１の曲率は、前記第２の曲率より小さく、前記液晶表示体の前記所定の方向における視野角は、前記所定の方向に直交する前記方向における視野角よりも大きいことを特徴とする。また、前記複数の」と訂正し、
　「また、前記光配向制御素子は、前記所定の方向、及びその方向に直交する前記方向の両方において光を集光することを特徴とする。また、前記所定の方向とその所定の方向に直交する方向とでは出光パターンが異なることを特徴とする。」を削除する。
　ｍ．明細書の段落【０００８】中の、
　「光源と導光板とを有する面照明装置」を「光源と導光板とを有し、液晶表示体を照明するための面照明装置」と訂正し、
　「前記導光板の光出射面側には」を「前記導光板の光出射面側と前記液晶表示体との間には」と訂正し、
　「楕円体のレンズ状の曲面が設けられており、」を「楕円体のレンズ状の曲面が複数設けられており、各前記楕円体のレンズ状の曲面は同一方向に向けて並べられてなり、」と訂正し、
　「前記光配向制御素子にはレンズ状の曲面が設けられており、前記レンズ状の曲面が楕円体であり、」を「前記光配向制御素子にはレンズ状の曲面が複数設けられており、前記レンズ状の曲面は楕円体であり、且つ同一方向に向けて並べられてなり、」と訂正し、
　２箇所の「前記第１の曲率と前記第２の曲率とは異なる」を「前記第１の曲率は、前記第２の曲率より小さく、前記液晶表示体の前記所定の方向における視野角は、前記所定の方向に直交する前記方向における視野角よりも大きい」と訂正する。
　ｎ．明細書の段落【００１０】中の、
　「曲率が大きいため」を「曲率が小さいため」と訂正し、
　「小さな曲率の形状」を「大きな曲率の形状」と訂正する。
　ｏ．明細書の段落【００１４】中の、
　「レンズ状の曲面が設けられており、前記レンズ状の曲面が楕円体であるので、」を「レンズ状の曲面が複数設けられており、前記レンズ状の曲面が楕円体であり、且つ同一方向に向けて並べられてなり、前記楕円体は、所定の方向において第１の曲率の断面形状、および前記所定の方向に直交する方向において第２の曲率の断面形状を有し、前記第１の曲率は、前記第２の曲率より小さく、液晶表示体の前記所定の方向における視野角は、前記所定の方向に直交する前記方向における視野角よりも大きいことによって、」と訂正する。
（５４）【発明の名称】
光配向制御素子、面照明装置及び液晶表示器
（５７）【特許請求の範囲】
　【請求項１】　液晶表示体を照明するための入射光を集光して出射させる光配向制御素子において、
　前記光配向制御素子の光出射面側にはレンズ状の曲面が複数設けられており、
　各前記レンズ状の曲面は楕円体であり、且つ同一方向に向けて並べられてなり、
　前記楕円体は、所定の方向において第１の曲率の断面形状、および前記所定の方向に直交する方向において第２の曲率の断面形状を有し、
　前記第１の曲率は、前記第２の曲率より小さく、前記液晶表示体の前記所定の方向における視野角は、前記所定の方向に直交する前記方向における視野角よりも大きいことを特徴とする光配向制御素子。
　【請求項２】　請求項１に記載の光配向制御素子において、
　前記複数のレンズ状の曲面はジグザグに並べられてなることを特徴とする光配向制御素子。
　【請求項３】　光源と導光板とを有し、液晶表示体を照明するための面照明装置において、
　前記導光板の光出射面側と前記液晶表示体との間には光配向制御素子が設けられており、
　前記光配向制御素子には楕円体のレンズ状の曲面が複数設けられており、各前記楕円体のレンズ状の曲面は同一方向に向けて並べられてなり、
　前記楕円体は、所定の方向において第１の曲率の断面形状、および前記所定の方向に直交する方向において第２の曲率の断面形状を有し、
　前記第１の曲率は、前記第２の曲率より小さく、前記液晶表示体の前記所定の方向における視野角は、前記所定の方向に直交する前記方向における視野角よりも大きいことを特徴とする面照明装置。
　【請求項４】　請求項３に記載の面照明装置において、
　前記光配向制御素子は、前記所定の方向、及びその所定の方向に直交する前記方向において光を集光することを特徴とする面照明装置。
　【請求項５】　請求項４に記載の面照明装置において、
　前記所定の方向とその方向に直交する前記方向とでは出光パターンが異なることを特徴とする面照明装置。
　【請求項６】　面照明装置と、その面状照明装置の光出射面側に配置した液晶表示体と、を具備する液晶表示器において、
　前記面照明装置は、光源、導光板及び前記導光板と前記液晶表示体との間に配置した光配向制御素子を有し、
　前記光配向制御素子にはレンズ状の曲面が複数設けられており、
　前記レンズ状の曲面は楕円体であり、且つ同一方向に向けて並べられてなり、
　前記楕円体は、所定の方向において第１の曲率の断面形状、および前記所定の方向に直交する方向において第２の曲率の断面形状を有し、
　前記第１の曲率は、前記第２の曲率より小さく、前記液晶表示体の前記所定の方向における視野角は、前記所定の方向に直交する前記方向における視野角よりも大きいことを特徴とする液晶表示器。
　【請求項７】　請求項６に記載の液晶表示器において、
　前記面照明装置からの光は、前記所定の方向、及びその方向に直交する前記方向の両方において集光されて前記液晶表示体に出光されることを特徴とする液晶表示器。
　【請求項８】　請求項７に記載の液晶表示器において、
　前記所定の方向とその方向に直交する前記方向とでは出光パターンが異なることを特徴とする液晶表示器。
【発明の詳細な説明】
　【０００１】
　【産業上の利用分野】
　本発明は、面照明装置、その面照明装置を備える液晶表示器及び光配向制御素子に関する。
　【０００２】
　【従来の技術】
　従来、ノートブック型コンピュータやワードプロセッサあるいはテレビ等に用いられている液晶表示器のバックライトには図１０のような構成の面照明装置が多用されている。ここで拡散板１２には梨地面やエンボス面を有するフィルム、あるいは透明な基材に微小な透明球体を塗布ないしは印刷したフィルムが用いられてきた。
　【０００３】
　【発明が解決しようとする課題】
　しかし、かかる従来の拡散板やこれを用いた面照明装置には以下のような問題点があった。
　【０００４】
　そもそも液晶表示器はその構造や材料、さらには駆動方法によりそれぞれ固有の視野角を有するものであり、換言すれば表示に必要な背面照明光はある限られた入射角以内のエネルギー分布を持てば充分にその目的を達することができることになる。
　【０００５】
　ところが従来の面照明装置はやみくもに面輝度を高くしようとしたので光の利用効率が低く、つまりは光源の点灯に要する電力を無駄に浪費する結果を招いていた。又、有効に利用されない光は熱のエネルギーに変換されるため液晶表示器のパネル面温度上昇をも招くことになり、甚だ効率の悪いものになると同時にその発熱により場合によっては表示品質をも低下させるという悪循環を引き起こしていた。
　【０００６】
　そこで本発明は従来のこの様な問題点を解決するため、液晶表示器の視野角に合わせた光放射パターンを持った背面照明系を実現するための光配向制御素子を提供し、更にこれを装着した面照明装置をも提供することを目的とする。
　【０００７】
　【課題を解決するための手段】
　かかる課題を解決するために、本発明の光配向制御素子は、液晶表示体を照明するための入射光を集光して出射させる光配向制御素子において、前記光配向制御素子の光出射面側にはレンズ状の曲面が複数設けられており、各前記レンズ状の曲面は楕円体であり、且つ同一方向に向けて並べられてなり、前記楕円体は、所定の方向において第１の曲率の断面形状、および前記所定の方向に直交する方向において第２の曲率の断面形状を有し、前記第１の曲率は、前記第２の曲率より小さく、前記液晶表示体の前記所定の方向における視野角は、前記所定の方向に直交する前記方向における視野角よりも大きいことを特徴とする。また、前記複数のレンズ状の曲面はジグザグに並べられてなることを特徴とする。
　【０００８】
　また、本発明の面照明装置は、光源と導光板とを有し、液晶表示体を照明するための面照明装置において、前記導光板の光出射面側と前記液晶表示体との間には光配向制御素子が設けられており、前記光配向制御素子には楕円体のレンズ状の曲面が複数設けられており、各前記楕円体のレンズ状の曲面は同一方向に向けて並べられてなり、前記楕円体は、所定の方向において第１の曲率の断面形状、および前記所定の方向に直交する方向において第２の曲率の断面形状を有し、前記第１の曲率は、前記第２の曲率より小さく、前記液晶表示体の前記所定の方向における視野角は、前記所定の方向に直交する前記方向における視野角よりも大きいことを特徴とする。また、前記光配向制御素子は、前記所定の方向、及びその所定の方向に直交する前記方向において光を集光することを特徴とする。また、前記所定の方向とその方向に直交する方向とでは出光パターンが異なることを特徴とする。
　また、本発明の液晶表示器は、面照明装置と、その面状照明装置の光出射面側に配置した液晶表示体と、を具備する液晶表示器において、前記面照明装置は、光源、導光板及び前記導光板と前記液晶表示体との間に配置した光配向制御素子を有し、前記光配向制御素子にはレンズ状の曲面が複数設けられており、前記レンズ状の曲面が楕円体であり、且つ同一方向に向けて並べられてなり、前記楕円体は、所定の方向において第１の曲率の断面形状、および前記所定の方向に直交する方向において第２の曲率の断面形状を有し、前記第１の曲率は、前記第２の曲率より小さく、前記液晶表示体の前記所定の方向における視野角は、前記所定の方向に直交する前記方向における視野角よりも大きいことを特徴とする。また、前記面照明装置からの光は、前記所定の方向、及びその方向に直交する前記方向の両方において集光されて前記液晶表示体に出光されることを特徴とする。また、前記所定の方向とその方向に直交する方向とでは出光パターンが異なることを特徴とする。
　【０００９】
　【実施例】
（参考例１）
　以下に参考例に係わる光配向制御素子を図面に基づいて詳細に説明する。図１（ａ）は参考例の光配向制御素子を示すもので、透明なフィルム１に微小な円柱レンズ状曲面２が多数形成されており、この場合前記円柱レンズ状曲面２はフィルム１の面内のＸ方向に向けて並べられている。フィルム１はポリカーボネート、ＰＭＭＡ、ＰＥＴなどの樹脂フィルムが適するが、ガラスでも使用可能である。円柱レンズ状曲面２はフィルムの押しだし加工あるいはコンプレッション加工時に形成するが、ＰＥＴなどはこの様な加工が難しいためフィルム上に細径の樹脂ファイバーを並行に並べ、透明なレジンで接着したところほぼ同様な光学特性が得られた。図１（ｂ）は図１（ａ）のＸ−Ｘ断面を示したものである。この面内では裏側から入射した光線は単純なフィルムに入射した場合と同様の挙動を示す。図１（ｃ）は図１（ａ）のＹ−Ｙ断面を示したものである。ここでは断面は連続した半円形状となり、入射した光線はそのレンズ効果により曲げられるためフィルムから出光する光線は図２（ｂ）のようにフィルム面に垂直な方向に集光された出射パターンをもつ。尚、図２（ａ）はＸ−Ｘ断面内における光の出射パターンを示すものである。
　【００１０】
　（実施例１）
　図３（ａ）は実施例１に係わる光配向制御素子を示したものであり、フィルム１には楕円体レンズ状曲面３が多数設けられており、この場合前記楕円体レンズ状曲面３はフィルム面内のＸ方向に向けて並べられている。フィルム１には透明なポリカーボネート、ＰＭＭＡ等の樹脂が好適である。又、楕円体レンズ状曲面３は押しだし加工あるいはコンプレッション加工などで成形される際に形状付与されるが、エッチングなどの方法でも加工可能である。図３（ｂ）は図３（ａ）のＸ−Ｘ断面を示したものである。この面内では裏側から入射した光線は表面形状のレンズ効果により集光されるが、その曲率が小さいため出光パターンは図４（ａ）のように比較的ブロードなものとなる。それに対し図３（ａ）におけるＹ−Ｙ断面は図３（ｃ）のようなもので、出光面は図３（ｂ）と比較すると大きな曲率の形状であるため出光パターンは図４（ｂ）のようにフィルム面に対して垂直な方向により一層集光されたものとなっている。
　【００１１】
　（実施例２）
　図５は実施例２に係わる光配向制御素子を示したものであり、前述した図３（ａ）と同じくフィルム１には楕円体レンズ状曲面３が多数設けられているが楕円体レンズ状曲面３はジグザグに配列されている。この場合も図３（ａ）と同様の光学的効果を有していることが確認できた。
　【００１２】
　（実施例３）
　図６は上述の光配向制御素子を出光面側に装着した実施例３に係わる面照明装置であり、導光板１３に隣接配置された光源１５の周りにはリフレクター１６が設けられている。前記導光板１３の一面には入射光を全面にわたり散乱させて一様な輝度分布を得られるよう散乱パターン２０が設けられている。この散乱パターン２０は乳白色系のインクを印刷したり、あるいは規則的に導光板１３の表面に微小な凹凸又は粗面加工を施すことにより形成されている。更に導光板１３の裏側には反射板１４が設けられ、白色のフィルムや金属フィルムがこれに適当である。導光板１３の表側には拡散板１２と上述の光配向制御素子１１が配置されているが、前記の光配向制御素子１１にはそもそも光の拡散効果が備わっているため、場合により前記拡散板１２を省くことも可能である。図６に於てＸ−Ｘ、Ｙ−Ｙは図１（ａ）及び図３（ａ）並びに図５のＸ方向、Ｙ方向とそれぞれ対応しており、従って出光面上の点ＡからＺ方向へ放射される光の放射パターンはそれぞれの面内に於て異なったものになる。図７（ａ）はＸ−Ｚ面内に於ける放射パターンであり、図７（ｂ）はＹ−Ｚ面内に於けるそれである。
　【００１３】
　（実施例４）
　図８は実施例４に係わる液晶表示器の構成例を示す説明図である。面照明装置１００の出光面側にはテレビセット用のカラー液晶表示体１０１が組み合わされている。図８に於てＸ−Ｘ、Ｙ−Ｙは図６のＸ方向、Ｙ方向と対応しており、又、面照明装置１００から出光する光の放射パターンはそれぞれの面内で図７（ａ）、図７（ｂ）に示したものと同様である。ここに用いた液晶表示体１０１は図８のＸ−Ｚ面、Ｙ−Ｚ面でそれぞれＡ、Ｂという異なった視野角を持つがＡ＞Ｂであり、従ってＸ−Ｚ面内の方が広範囲な視認性を有するものである。図９（ａ）は図８の面照明装置１００を点灯した場合に液晶表示体１０１を透過する光のＸ−Ｚ面内の放射パターンを示したものである。又、図９（ｂ）は同様にＹ−Ｚ面内の放射パターンを示すものである。この図中の破線は面照明装置１００から本発明による光配光制御素子を取り除いた場合の放射パターンであり、この光配向制御素子の光学機能により液晶表示体の実際の表示輝度が向上していることが解る。これを換言すれば光エネルギーの利用効率が上がったということであり、光源に要する電力も低減できるわけである。尚、ＭＩＭ型のカラー液晶表示器での実験では表示輝度を同一とした場合、約２０〜３０％の光源消費電力を削減することができた。又、表示器の表面温度上昇も従来の約１／２に抑えることができたため表示の色むらが大幅に改善され、品位の高いカラー液晶表示器を得ることができた。
　【００１４】
　【発明の効果】
　以上説明したように、本発明の光配向制御素子、面状照明装置及び液晶表示器はレンズ状の曲面が複数設けられており、前記レンズ状の曲面が楕円体であり、且つ同一方向に向けて並べられてなり、前記楕円体は、所定の方向において第１の曲率の断面形状、および前記所定の方向に直交する方向において第２の曲率の断面形状を有し、前記第１の曲率は、前記第２の曲率より小さく、液晶表示体の前記所定の方向における視野角は、前記所定の方向に直交する前記方向における視野角よりも大きいことによって、液晶表示器の持つ視野角に合わせた背面照明光が実現できるため、実際の表示輝度を向上させることができる。又、一定の輝度を出す為に必要な光源のエネルギー、つまり消費電力を大幅に削減することが可能となる。更に表示器の温度上昇を抑えることができるようになり、液晶表示器の表示品位を向上させることができるという大きな効果を有するものである。
【図面の簡単な説明】
　【図１】
　（ａ）　参考例に係る光配向制御素子の上面図。
　（ｂ）　参考例に係る光配向制御素子の断面図。
　（ｃ）　参考例に係る光配向制御素子断面図。
　【図２】
　（ａ）　図１（ｂ）の面内に於ける光放射パターンを説明する図。
　（ｂ）　図１（ｃ）の面内に於ける光放射パターンを説明する図。
　【図３】
　（ａ）　実施例１に係る光配向制御素子の上面図。
　（ｂ）　実施例１に係る光配向制御素子のＸ−Ｘ断面図。
　（ｃ）　実施例１に係る光配向制御素子のＹ−Ｙ断面図。
　【図４】
　（ａ）　図３（ｂ）の面内に於ける光放射パターンを説明する図。
　（ｂ）　図３（ｃ）の面内に於ける光放射パターンを説明する図。
　【図５】
　実施例２に係る光配向制御素子を示す上面図。
　【図６】
　実施例３に係る面照明装置の斜視図。
　【図７】
　（ａ）　図６のＸ−Ｚ面内に於ける光放射パターンを説明する図。
　（ｂ）　図６のＹ−Ｚ面内に於ける光放射パターンを説明する図。
　【図８】
　実施例４に係る液晶表示器を示す図。
　【図９】
　（ａ）　図８のＸ−Ｚ面内に於ける光放射パターンを説明する図。
　（ｂ）　図８のＹ−Ｚ面内に於ける光放射パターンを説明する図。
　【図１０】
　従来の技術による面照明装置の断面図。
　【符号の説明】
　１　透明フィルム
　２　円柱レンズ状曲面
　３　楕円体レンズ状曲面
　１１　光配向制御素子
　１２　拡散板
　１３　導光板
　１４　反射板
　１５　光源
　１６　リフレクター
　２０　散乱パターン
　１００　面照明装置
　１０１　液晶表示体